(57)【要約】      （修正有）【課題】ブラシ洗浄部における角隅部の清潔な洗浄が容易にでき、このブラシ洗浄部に隣接して存在する鏡面やガラス面その他の平坦面に付着している水滴をも簡単容易に除去できるようにした水回り洗浄用ブラシを提供する。【解決手段】長手方向中間部を手持ち用握り部１とし、その一端側を平面視先細三角形のブラシ台２とし、他端側を平面視先広がり形の水取体取付台３とし、前記平面視先細三角形のブラシ台２の背面側２１に、平面視先細三角形に植毛させたブラシ体４を形成し、前記平面視先広がり形の水取体取付台３の先端部３１に、一部を先端側に向かって突出させた姿勢でゴム弾性を備えた水取体５を固定してなる構成としたもの。【選択図】図５
0003173293.tif 000002
【実用新案登録請求の範囲】
【請求項１】
長手方向中間部を手持ち用握り部(1)とし、その一端側を平面視先細三角形のブラシ台(2)とし、他端側を平面視先広がり形の水取体取付台(3)とし、
前記平面視先細三角形のブラシ台(2)の背面側(21)に、平面視先細三角形に植毛させたブラシ体(4)を形成し、前記平面視先広がり形の水取体取付台(3)の先端部(31)に、一部を先端側に向かって突出させた姿勢でゴム弾性を備えた水取体(5)を固定してなる
水回り洗浄用ブラシ。
【考案の詳細な説明】
【技術分野】
【０００１】
本考案は、主として浴室や台所・洗面所若しくはトイレットルームのような水を利用するところの洗浄に適した水回り洗浄用ブラシに関するものである。
【背景技術】
【０００２】
殊に、水回りの角隅部を確実に清掃することができ、同時に鏡面・ガラス面・タイル面やステンレス面等に付着した水や水滴等を簡単確実に除去することができる水回りの洗浄に特化した水回り洗浄用ブラシに関するものである。
【０００３】
このような、主として水回りを洗浄するブラシそのものは古くから周知であって、一般家庭においても、多種多様の形態のものが使用されている。例えば、浴室の清掃にあっては、浴槽やタイル面を洗浄するブラシとして、風呂洗い用の植毛ブラシやスポンジタイプの束子などが存在し、浴室の洗浄に使用されている。しかしながら、浴室内の鏡面やガラス面、タイル壁面等に付着した水滴は、タオル等の布で拭き取っているのが現状である。
【０００４】
また、浴室には通常４箇所の角隅部があり、檜風呂の場合には浴槽も４箇所の角隅部が存在しており、これらの各角隅部を綺麗に洗浄するには、植毛部の先端が円形や平坦形のブラシよりも先細形のブラシが適している。また、前記鏡面やガラス面、タイル壁面その他の壁面に付着した水滴の除去には、ガラス拭きとして市販されていて、一般に周知され使用されているゴム質タイプのガラス窓清掃用の水滴拭きが、水滴の除去が容易である点で好ましい。
【０００５】
前者の一般的な浴室洗浄用の植毛ブラシは、前記のように既に周知であるが、敢えて、先行文献を引用記載すると、本考案出願人の出願にかかる下記特許文献１を挙げることができる。ここに示されている風呂場用洗浄ブラシは、浴室における床面や壁面のタイルや浴槽を洗浄するのに適したブラシであり、浴槽蓋の洗浄にも適した構造としたブラシである。しかしながら、浴室内の鏡面やガラス面・タイル壁面に付着した水滴の除去には適していない。
【先行技術文献】
【特許文献】
【０００６】
【特許文献１】実用新案登録第３１３６２３６号公報
【考案の概要】
【考案が解決しようとする課題】
【０００７】
そこで、本考案は、このような先行文献１に記載のブラシのように、タイル面の洗浄に適していて、タイル面以外であっても、ブラシ洗浄部における角隅部の清潔な洗浄が容易にできるブラシであって、同時に、このブラシ洗浄部に隣接して存在する鏡面やガラス面その他の平坦面に付着している水滴をも簡単容易に除去できるようにした水回り洗浄用ブラシをここに提供しようとするものである。
【課題を解決するための手段】
【０００８】
該目的を達成するために講じた本考案にいう水回り洗浄用ブラシの構成を、実施例において使用した符号を用いて説明すると、長手方向中間部を手持ち用握り部１とし、その一端側を平面視先細三角形のブラシ台２とし、他端側を平面視先広がり形の水取体取付台３とし、前記平面視先細三角形のブラシ台２の背面側２１に、平面視先細三角形に植毛させたブラシ体４を形成し、前記平面視先広がり形の水取体取付台３の先端部３１に、一部を先端側に向かって突出させた姿勢でゴム弾性を備えた水取体５を固定してなる構成としたものである。
【０００９】
このような構成とした本考案にいう水回り洗浄用ブラシを構成するゴム弾性を備えた水取体５は、生ゴム、合成ゴム、高分子エラストマー等の素材で形成したものが好ましい。また、この水取体５は、手持ち用握り部１の成形時に同時にインサート成形することができるが、他の手段として、これら両体１，５を個別に形成し、手持ち用握り部１の先端部に形成した取付用横溝に水取体５を挿入固定する構造としたり、ネジ固定や加締固定する構造としてもよい。
【００１０】
また、手持ち用握り部１の一端側に形成した平面視先細三角形のブラシ台２と、該ブラシ台２に植毛させたブラシ体４とは、平面視形状が鈍角三角形のものでもよいが、好ましくは鋭角三角形としておくと、角隅部の清掃が容易にでき、使用し易い点で好ましい。
【考案の効果】
【００１１】
以上のように、本考案にいうところの水回り洗浄用ブラシは、ブラシ体によって洗浄部の角隅部分の洗浄を確実に行い得て、握り部の前後方向を持ち変えるだけで、ブラシ洗浄箇所のすぐ近くにある平坦面部分に付着した水滴や水分を極めて簡単容易に水取体で払拭除去することができるという便利さを有するものである。
【図面の簡単な説明】
【００１２】
【図１】第１実施例のブラシを示す平面図。
【図２】図１の側面図。
【図３】図１の正面図。
【図４】図１の下面側からみた斜視図。
【図５】第２実施例を説明する図４対応部分の斜視図。
【考案を実施するための形態】
【実施例１】
【００１３】
以下本考案の第１実施例について図面に基づいて説明する。該実施例に示した水回り洗浄用ブラシは、図１〜４において左右方向に伸びる部分を合成樹脂材で射出成形した手持ち用握り部１であって、これら各図の一端側、即ち図において左側を平面視先細三角形のブラシ台２とし、他端側、即ち図において右側を平面視先広がり形とした水取体取付台３としたものである。
【００１４】
而して、図１の左側に示す平面視先細三角形としたブラシ台２の背面側２１には、図４に示すように、ブラシ台２の形状に沿って樹脂モノフィラメント製のブラシ毛４ａを多数植毛して平面視先細三角形に形成したブラシ体４を形成してある。
【００１５】
また、図１の右側に示す平面視先広がり形の水取体取付台３には、その先端部３１に、一部を先端側、図において右側に向かって突出させた姿勢で、ゴム弾性を備えた合成ゴム製の水取体５を、手持ち用握り部１の成形時にインサート成形手段によって一体的に形成してある。
【００１６】
このようにした水回り洗浄用ブラシは、その先細三角形に形成したブラシ体４を使用して、例えば、風呂場のタイル床の角隅部や、浴槽とタイル壁との連接角部等を清潔に洗浄清掃する。このようにして、浴槽内や排水口周りの洗浄を完了した後、手持ち用握り部１を左右逆に持ち代えて、水取体５を先端側として、浴室内の鏡面や戸のガラス面に水取体５を宛てがいながら上下に移動させて、付着水を除去する。
【００１７】
このようにすることによって、清潔洗浄の厄介な浴室内の清掃を、本考案にいう水回り洗浄用ブラシ１個で、角隅部分や鏡面やガラス面の清掃・水滴拭きを一挙かつ速やかに終了させることができるのである。
【００１８】
本考案にいう水回り洗浄用ブラシは、このように先細形に形成したブラシ体４と水取体５を備えた構造としてあるので、浴室内の清掃のみならず、台所のシンク内をブラシで洗浄し、シンク横の食器置き台上に溜まった水滴を水取体５で一挙にシンク内に移動させて清浄したり、同様にして、洗面所やトイレットルーム等の清掃にも効率よく使用でき、ひいては、乗用車等のタイヤの洗浄をブラシ体４で行い、窓ガラス面の水滴を水取体５で行う等として使用したりすることも可能なものである。なお、各図に示した符号６は、不使用時に係止用フックへ吊り下げておくための掛止用穴である。また、図４の手持ち用握り部１に形成してある抜き溝７は、素材の軽減と軽量化を図ったものである。
【００１９】
以上の実施例に示した水回り洗浄用ブラシは、日用品として通常使用に不便のない程度の大きさに形成したものであれば、寸法的に限定する必要性のないものである。しかしながら、上記実施例図に示したブラシの各部の寸法を参考までに記載しておくと、図１において、横長方向の全長約２５０ｍｍ、ブラシ台２部分の横方向長さ８０ｍｍ、水取体取付台３部分の上下方向幅１１０ｍｍ程度としたものである。
【実施例２】
【００２０】
図５は、第２実施例を説明する図であって、ここに示した水回り洗浄用ブラシは、手持ち用握り部１の右側に形成した平面視先広がり形とした水取体取付台３の先端部３１を、外側に向かって開口する側面視コの字形の溝８を形成してあるものとし、この溝８に対して別途形成した所定厚の板状水取体５を挿入し、必要であれば接着剤を介して取付固定した構造としたものである。その他の点については、前記第１実施例に示した水回り洗浄用ブラシに準ずる。
【００２１】
以上本考案の代表的と思われる実施例について説明したが、本考案は必ずしもこれらの実施例に示した構造のもののみに限定されるものではなく、例えば、図５の第２実施例に示した板状水取体５を、手持ち用握り部１に対して、樹脂製のビスネジでの取付固定、加締固定、加熱融着、その他適宜の周知手段によって取り付ければよいのであって、本考案にいう前記の構成要件を備えていて、かつ、本考案にいう目的を達成し、上記の効果を有する範囲内において改変実施することができるものである。
【産業上の利用可能性】
【００２２】
本考案にいう水回り洗浄用ブラシは、水回り関連箇所において便利に使用することができるものであるから、市場に供給すると歓迎され重宝に使用されるものと考えられる。
【符号の説明】
【００２３】
１  手持ち用握り部
２  ブラシ台
２１  背面側
３  水取体取付台
３１  先端部
４  ブラシ体
５  水取体
６  掛止用穴
【図１】
0003173293.tif 000003
【図２】
0003173293.tif 000004
【図３】
0003173293.tif 000005
【図４】
0003173293.tif 000006
【図５】
0003173293.tif 000007